(57)【要約】  ネットワークを介して一以上の他の通信端末と通信可能に接続される通信端末は、該他の通信端末によって送信されるストロークデータを受信する受信手段と、該ネットワーク上の管理システムにおいて該ストロークデータの送信元に関連付けられて管理される名称情報を取得する取得手段と、該ストロークデータに基づく画像及び該取得された名称情報に基づく画像を対応付けて表示する制御を行う表示制御手段とを有する。
2016208396.tif 000002
【特許請求の範囲】
【請求項１】
ネットワークを介して一以上の他の通信端末と通信可能に接続される通信端末であって、
前記他の通信端末によって送信されるストロークデータを受信する受信手段と、
前記ネットワーク上の管理システムにおいて前記ストロークデータの送信元に関連付けられて管理される名称情報を取得する取得手段と、
前記ストロークデータに基づく画像、及び前記取得された名称情報に基づく画像を対応付けて表示する制御を行う表示制御手段と、
を有することを特徴とする通信端末。
【請求項２】
操作入力を受け付ける操作入力受付手段と、
前記操作入力に基づくストロークデータを前記他の通信端末へ送信する送信手段と、をさらに有し、
前記送信手段は、前記操作入力受付手段による前記操作入力が受け付けられる間に、前記ストロークデータを送信可能であることを特徴とする請求項１に記載の通信端末。
【請求項３】
操作入力を受け付ける操作入力受付手段と、
前記操作入力に基づくストロークデータを前記他の通信端末へ送信する送信手段と、をさらに有し、
前記送信手段は、前記操作入力受付手段による前記操作入力の受け付けが完了した後に、前記ストロークデータを送信することを特徴とする請求項１に記載の通信端末。
【請求項４】
ストロークデータの送信元毎に、名称情報を前記送信元に関連付けて管理する管理手段と、
他の通信端末から請求項１乃至３のいずれか一項に記載の通信端末へストロークデータが送信されると、前記管理手段において該ストロークデータの送信元に関連付けられて管理される名称情報を抽出する抽出手段と、
前記抽出手段によって抽出される前記名称情報を前記通信端末へ送信する送信手段と、
を有することを特徴とする管理システム。
【請求項５】
前記管理手段は、ストロークデータの送信元毎に、サインを示す第１のサイン情報を前記送信元に関連付けて管理し、
前記他の通信端末によって前記ストロークデータとともに第２のサイン情報が送信されると、前記他の通信端末によって送信される前記第２のサイン情報と、前記管理手段において該ストロークデータの送信元に関連付けられて管理される第１のサイン情報と、が一致するか否かを判断する判断手段と、を有し、
前記送信手段は、前記判断手段によって前記第１のサイン情報と前記第２のサイン情報が一致すると判断された場合に、前記抽出手段によって抽出される前記名称情報を前記通信端末へ送信することを特徴とする請求項４に記載の管理システム。
【請求項６】
前記管理手段は、ストロークデータの送信元のアドレス情報毎に、利用者情報を前記アドレス情報に関連付けて管理し、
前記他の通信端末によって前記ストロークデータとともに前記アドレス情報が送信されると、前記抽出手段は、前記管理手段において、該アドレス情報に関連付けられて管理される利用者情報を抽出し、
前記送信手段は、前記抽出手段によって抽出される前記利用者情報を前記通信端末へ送信することを特徴とする請求項４又は５に記載の管理システム。
【請求項７】
請求項１乃至３のいずれか一項に記載の通信端末と、
前記管理システムと、
を有することを特徴とする通信システム。
【請求項８】
ネットワークを介して一以上の他の通信端末と通信可能に接続される通信端末において実行される表示方法であって、
前記他の通信端末によって送信されるストロークデータを受信し、
前記ネットワーク上の管理システムにおいて管理される名称情報から、前記ストロークデータの送信元に関連付けられる名称情報を取得し、
前記ストロークデータに基づく画像、及び前記取得された名称情報に基づく画像を対応付けて表示する制御を行う
ことを特徴とする表示方法。
【請求項９】
ストロークデータの送信元毎に、名称情報を前記送信元に関連付けて管理する管理手段を有する管理システムにおいて、
前記他の通信端末から前記通信端末へ前記ストロークデータが送信されると、前記管理手段において該ストロークデータの送信元に関連付けられて管理される名称情報を抽出し、
前記抽出された前記名称情報を前記通信端末へ送信する
ことを特徴とする請求項８に記載の表示方法。
【請求項１０】
前記通信端末に請求項８に記載の各処理を実行させることを特徴とするプログラム。
【請求項１１】
前記管理システムに請求項９に記載の各処理を実行させることを特徴とするプログラム。
【発明の詳細な説明】
【技術分野】
【０００１】
本発明は、通信端末、管理システム、通信システム、表示方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末間で通信が開始されると、コンテンツデータの送受信が行われ、拠点間のコミュニケーションが実現される。また、拠点間のコミュニケーションを円滑に行うために、手書操作に基づくストロークデータをコンテンツデータとして拠点間で共有する方法が提案されている。【０００３】
例えば、特許文献１には、操作者などの拠点情報を拠点識別情報と共に記憶しておき、他の端末装置から手書きデータを受信したときに、手書きデータに付加された拠点識別情報に対応した拠点情報を取得し、受信した手書きデータに操作者などの拠点情報を付加して表示する端末装置が開示されている。
【先行技術文献】
【特許文献】
【０００４】
【特許文献１】特許第５０８１０８８号公報
【発明の概要】
【発明が解決しようとする課題】
【０００５】
しかしながら、例えば、初めての通信相手との通信など、通信端末側で通信相手の名称が管理されていない場合は、その通信相手からストロークデータが送られてきたときに、ストロークに対応付けて相手の名称を表示することができない。このため、拠点情報の表示に柔軟性がないという課題があった。
【課題を解決するための手段】
【０００６】
開示の一実施形態に係る通信端末は、ネットワークを介して一以上の他の通信端末と通信可能に接続される通信端末であって、前記他の通信端末によって送信されるストロークデータを受信する受信手段と、前記ネットワーク上の管理システムにおいて前記ストロークデータの送信元に関連付けられて管理される名称情報を取得する取得手段と、前記ストロークデータに基づく画像、及び前記名称情報に基づく画像を対応付けて表示する制御を行う表示制御手段とを有する。
【発明の効果】
【０００７】
一実施形態によれば、ストロークに対応付けて相手の名称を柔軟に表示することができる。
【図面の簡単な説明】
【０００８】
【図１】一実施形態に係る通信システムの概略図である。
【図２】一実施形態に係るインタラクティブホワイトボードの外観図である。
【図３】一実施形態に係るインタラクティブホワイトボードのハードウェア構成図である。
【図４】一実施形態に係る管理システムまたは中継装置のハードウェア構成図である。
【図５】一実施形態に係るインタラクティブホワイトボード、中継装置、及び管理システムの各機能ブロック図である。
【図６】インタラクティブホワイトボード間でストロークデータを伝送する処理の例を示すシーケンス図である。
【図７Ａ】一実施形態に係る表示画像の一例を示す図である。
【図７Ｂ】実施形態の変形例に係る表示画像の一例を示す図である。
【図７Ｃ】実施形態の別の変形例に係る表示画像の一例を示す図である。
【図７Ｄ】実施形態の別の変形例に係る表示画像の別の一例を示す図である。
【図７Ｅ】実施形態のさらに別の変形例に係る表示画像の一例を示す図である。
【図７Ｆ】実施形態のさらに別の変形例に係る表示画像の別の一例を示す図である。
【図８】インタラクティブホワイトボード間でストロークデータを伝送する処理の別の例を示すシーケンス図である。
【図９】インタラクティブホワイトボード間でストロークデータを伝送する処理のさらに別の例を示すシーケンス図である。
【図１０】一実施形態に係る管理システムのハードウェア構成図である。
【図１１】インタラクティブホワイトボード間でストロークデータを伝送する処理の別の例を示すシーケンス図である。
【発明を実施するための形態】
【０００９】
以下、本発明の実施形態について説明する。
【００１０】
＜＜実施形態の全体構成＞＞
図１は、本発明の一実施形態に係る通信システムの概略図である。図１に示されるように、通信システム１は、ストローク共有装置の一例としてのインタラクティブホワイトボード（２０ａ，２０ｂ，２０ｃ）（以下、ＩＷＢと表記する）、ＩＷＢ（２０ａ，２０ｂ，２０ｃ）間で伝送されるストロークデータを中継する中継装置３０、及びＩＷＢ（２０ａ，２０ｂ，２０ｃ）間の通信を管理する管理システム５０を含む。以下、ＩＷＢ（２０ａ，２０ｂ，２０ｃ）のうち任意のＩＷＢを示す場合、該ＩＷＢはＩＷＢ２０と記載される。管理システム５０は、サーバ機能を備えたコンピュータである。
【００１１】
この通信システム１において、ＩＷＢ（２０ａ，２０ｂ，２０ｃ）間で、文字、図形、記号等が描かれたストロークを共有することができる。
【００１２】
また、ＩＷＢ２０、中継装置３０、及び管理システム５０は、インターネット、携帯電話網、あるいは、ＬＡＮ(Local Area Network)等の通信ネットワーク２を介して通信可能に接続される。それぞれの拠点（Ａ，Ｂ，Ｃ）には、ＩＷＢ２０が一台配置されており、ＩＷＢ２０を用いて拠点間でテレビ会議を行うことができる。なお、図１では、説明を簡単にするために、各拠点（Ａ，Ｂ，Ｃ）に、１台のＩＷＢ２０を示すが、複数台のＩＷＢ２０が配置されてもよい。また、各拠点（Ａ，Ｂ，Ｃ）に、例えば、テレビ会議端末、プロジェクタ、電子看板(デジタルサイネージ)等のＩＷＢ２０以外の通信端末が通信ネットワーク２を介して通信可能に配置されても良い。
【００１３】
＜＜実施形態のハードウェア構成＞＞
次に、本実施形態のハードウェア構成を説明する。図２は、一実施形態に係るＩＷＢ２０の外観図である。図２に示されるように、ＩＷＢ２０は、ディスプレイ２２０と、スタンド２４０と、機器収納部２５０とを有する。ディスプレイ２２０は、液晶パネル又はプラズマパネルなどのフラットパネルを含み、ディスプレイ２２０の筐体前面には画像を表示する表示面２２２及びタッチパネル２２４が設けられる。
【００１４】
入力装置３００には、信号送信装置が設けられており、入力装置３００のペン先が表示面２２２に接触すると、信号送信装置は、無線信号である筆記検知信号（接触検知信号）を送信する。入力装置３００から送信された筆記検知信号がＩＷＢ２０側で受信されると、ディスプレイ２２０は、タッチパネル２２４により検知された座標位置において書き込まれた文字や図形等を表示する。機器収納部２５０には、例えば、ＩＷＢ２０の本体等の各種機器が収納されている。また、機器収納部２５０の上面には、入力操作を行うキーボード２３０が搭載されている。
【００１５】
なお、中継装置３０、及び管理システム５０の外観は、それぞれ一般のサーバコンピュータの外観と同じであるため、これらの外観の説明は省略される。
【００１６】
次に、図３を用いて、ＩＷＢ２０のハードウェア構成を説明する。図３は、一実施形態に係るＩＷＢ２０のハードウェア構成図である。本実施形態のＩＷＢ２０は、ＩＷＢ２０全体の動作を制御するＣＰＵ(Central Processing Unit)２０１、ＩＰＬ(Initial Program Loader)等のＣＰＵ２０１の駆動に用いられるプログラムを記憶するＲＯＭ(Read Only Memory)２０２、ＣＰＵ２０１のワークエリアとして使用されるＲＡＭ(Random Access Memory)２０３、各種プログラムまたは各種データを記憶するフラッシュメモリ２０４、ＣＰＵ２０１の制御にしたがってフラッシュメモリ２０４から／への各種データの読み出し／書き込みを制御するＳＳＤ（Solid State Drive）２０５、フラッシュメモリ等の記録メディア２０６から／へのデータの読み出し／書き込み（記憶）を制御するメディアドライブ２０７、ＩＷＢ２０の電源のＯＮ／ＯＦＦを切り換えるための電源スイッチ２０９、通信ネットワーク２を利用してデータを伝送するためのネットワークＩ／Ｆ(Interface)２１１を備える。なお、記録メディア２０６は、ＩＷＢ２０に対して着脱自在である。また、ＣＰＵ２０１の制御にしたがってデータの読み出し又は書き込みを行う不揮発性メモリであれば、フラッシュメモリ２０４に限定されず、ＥＥＰＲＯＭ（Electrically Erasable and Programmable ROM）等を用いてもよい。
【００１７】
ディスプレイ２２０は、例えば、画像を表示するための液晶や有機ＥＬ(Organic Electroluminescence)を含む。また、ＩＷＢ２０には、入力装置３００から送信された接触検知信号を受信し、この接触検知信号をタッチパネル２２４へ出力する信号受信装置２２５が設けられる。タッチパネル２２４の制御回路であるタッチパネルドライバは、入力装置３００から送られた接触検知信号により入力操作を認識し、入力装置３００による入力操作に対応するストロークデータを出力する。ＩＷＢ２０に内蔵されたディスプレイ２２０は、入力操作を認識すると、タッチパネルドライバによって出力されたストロークデータ、あるいは、通信ネットワーク２を介して他のＩＷＢ２０から送られたストロークデータに基づく画像を重畳して出力する。
【００１８】
また、ＩＷＢ２０は、ＣＰＵ２０１の制御に従ってディスプレイ２２０へ出力するデータ或いはタッチパネル２２４から入力されるデータを伝送するディスプレイＩ／Ｆ２１７、各種の外部機器をＩＷＢ２０に接続するための外部機器接続Ｉ／Ｆ２１８、ＩＷＢ２０の各機能の異常をユーザに知らせるアラームランプ２１９、及び上記の各構成要素を図３に示されるように電気的に接続するためのアドレスバスやデータバス等のバスライン２１０を備えている。外部機器接続Ｉ／Ｆ２１８には、ＵＳＢ(Universal Serial Bus)ケーブル等を介して、外付けカメラ、外付けマイク、或いは外付けスピーカ等の外部機器が電気的に接続可能である。また、ＩＷＢ２０はキーボード２３０を備え、ユーザによるキーボード２３０の操作に基づいて入力を受け付けることもできる。
【００１９】
なお、ＩＷＢ２０には、機能に応じて、図３に記載されていないハードウェア構成が設けられても良いし、図３に記載されたハードウェア構成の一部が設けられなくても良い。
【００２０】
図４は、一実施形態に係る管理システム５０のハードウェア構成図である。本実施形態の管理システム５０は、管理システム５０全体の動作を制御するＣＰＵ５０１、ＩＰＬ等のＣＰＵ５０１の駆動に用いられるプログラムを記憶するＲＯＭ５０２、ＣＰＵ５０１のワークエリアとして使用されるＲＡＭ５０３、管理システム５０用のプログラムまたは各種データを記憶するＨＤ５０４、ＣＰＵ５０１の制御にしたがってＨＤ５０４から／への各種データの読み出し／書き込みを制御するＨＤＤ(Hard Disk Drive)５０５、フラッシュメモリ等の記録メディア５０６から／へのデータの読み出し／書き込み（記憶）を制御するメディアドライブ５０７を備える。本実施形態の管理システム５０はさらに、カーソル、メニュー、ウィンドウ、文字、又は画像などの各種情報を表示するディスプレイ５０８、通信ネットワーク２を利用してデータ通信をするためのネットワークＩ／Ｆ５０９、文字、数値、各種指示などを入力するための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３から／への各種データの読み出し／書き込みを制御するＣＤ−ＲＯＭドライブ５１４、及び、上記の各構成要素を図４に示されるように電気的に接続するためのアドレスバスやデータバス等のバスライン５１０を備えている。
【００２１】
なお、中継装置３０のハードウェア構成は、管理システム５０のハードウェア構成と同様であるため、その説明を省略する。
【００２２】
＜＜実施形態の機能構成＞＞
次に、本実施形態の機能構成を説明する。図５は、一実施形態に係る通信システム１におけるＩＷＢ２０、中継装置３０、及び管理システム５０の機能ブロック図である。図５において、ＩＷＢ２０、中継装置３０、及び管理システム５０が、データ通信ができるように、通信ネットワーク２を介して接続されている。
【００２３】
＜ＩＷＢの機能構成＞
本実施形態に係るＩＷＢ２０は、送受信部２１、操作入力受付部２２、表示制御部２３、及び記憶・読出部２９を含む。図３に示される構成要素のいずれかが、フラッシュメモリ２０４からＲＡＭ２０３上に展開されたプログラムに従ったＣＰＵ２０１からの命令によって動作し、それにより、各部の機能を実現する。また、ＩＷＢ２０は、ＲＯＭ２０２、ＲＡＭ２０３、フラッシュメモリ２０４によって構築される記憶部２０００を有する。
【００２４】
（ＩＷＢの機能構成）
次に、ＩＷＢ２０の各機能構成を詳細に説明する。
【００２５】
本実施形態に係る送受信部２１は、ＣＰＵ２０１からの命令、及びネットワークＩ／Ｆ２１１によって実現される。送受信部２１は、通信ネットワーク２を介して、相手側の端末、各装置又はシステム等へ／から各種データ（または情報）を送信／受信する。
【００２６】
操作入力受付部２２は、ＣＰＵ２０１からの命令、タッチパネル２２４、電源スイッチ２０９、及びキーボード２３０によって実現される。操作入力受付部２２は、ユーザによる各種入力或いは各種選択を受け付ける。
【００２７】
表示制御部２３は、ＣＰＵ２０１からの命令、及びディスプレイＩ／Ｆ２１７によって実現される。表示制御部２３は、ストロークデータをディスプレイ２２０に送信する制御を行う。
【００２８】
記憶・読出部２９は、ＣＰＵ２０１からの命令及びＳＳＤ２０５によって実現される。記憶・読出部２９は、記憶部２０００に各種データを記憶する処理、或いは、記憶部２０００に記憶された各種データを抽出する処理を行う。
【００２９】
＜中継装置の機能構成＞
中継装置３０は、送受信部３１、及び記憶・読出部３９を含む。図４に示される構成要素のいずれかが、ＨＤ５０４からＲＡＭ５０３上に展開された中継装置３０用のプログラムに従ったＣＰＵ５０１からの命令によって動作し、それにより、各部の機能または手段を実現する。また、中継装置３０は、ＨＤ５０４により構築される記憶部３０００を有する。
【００３０】
（中継装置の機能構成）
次に、中継装置３０の各機能構成を詳細に説明する。
【００３１】
本実施形態に係る送受信部３１は、ＣＰＵ５０１からの命令、及びネットワークＩ／Ｆ５０９によって実現される。送受信部３１は、通信ネットワーク２を介して、相手側の端末、各装置又はシステム等へ／から各種データ（または情報）を送信／受信する。
【００３２】
記憶・読出部３９は、ＣＰＵ５０１からの命令及びＨＤＤ５０５によって実現される。記憶・読出部３９は、記憶部３０００に各種データを記憶する処理、或いは、記憶部３０００に記憶された各種データを抽出する処理を行う。
【００３３】
＜管理システムの機能構成＞
管理システム５０は、送受信部５１、セッション制御部５８、及び記憶・読出部５９を含む。図４に示される構成要素のいずれかが、ＨＤ５０４からＲＡＭ５０３上に展開された管理システム５０用のプログラムに従ったＣＰＵ５０１からの命令によって動作し、それにより、各部の機能又は手段を実現する。また、管理システム５０は、ＨＤ５０４により構築される記憶部５０００を有する。この記憶部５０００は、後述のテーブルをそれぞれ含むＤＢを記憶する。
【００３４】
（端末管理テーブル）
記憶部５０００には、端末管理テーブルによって端末管理ＤＢ５００２が構築される。表１は、端末管理テーブルを示す概念図である。端末管理テーブルでは、通信先としてＩＷＢ２０を特定する通信ＩＤと、拠点名とが関連付けられて管理される。通信ＩＤは、通信先のＩＷＢ２０を特定可能な情報であれば特に限定されない。通信ＩＤは、例えば、ＩＷＢ２０を識別する情報、ＩＷＢ２０のユーザのアカウント名等を含む。なお、通信ＩＤがアカウント名である場合、ＩＷＢ２０による管理システム５０へのログイン要求において送信されるアカウント名と、ログイン要求元のＩＷＢ２０の識別情報とを管理システム５０において関連付けて管理しても良い。これにより、管理システム５０は、アカウント名を基にＩＷＢ２０を特定できる。以下、ＩＷＢ（２０ａ，２０ｂ，２０ｃ）の通信ＩＤが、それぞれ「０２ａ，０２ｂ，０２ｃ」であるとして説明を続ける。拠点名は、ユーザが通信相手を特定するために用いる、地名、事業所名等の名称情報である。端末管理テーブルにおける拠点名は、ユーザによる操作入力に基づいたＩＷＢ２０からの要求により、管理システム５０側で更新可能である。
【００３５】
【表１】
2016208396.tif 000003
（管理システムの機能構成）
次に、管理システム５０の各機能構成を詳細に説明する。
【００３６】
本実施形態に係る送受信部５１は、ＣＰＵ５０１からの命令、及びネットワークＩ／Ｆ５０９によって実現される。送受信部５１は、通信ネットワーク２を介して各端末、装置又はシステムへ／から各種データ（または情報）を送信／受信する。
【００３７】
セッション制御部５８は、ＣＰＵ５０１からの命令によって実現される。セッション制御部５８は、ＩＷＢ２０間でストロークデータを伝送するセッションを制御する。また、上記の制御は、セッションを確立する制御、確立されたセッションにＩＷＢ２０を参加させる制御、セッションを切断する制御等を含む。
【００３８】
記憶・読出部５９は、ＣＰＵ５０１からの命令及びＨＤＤ５０５によって実現される。或いは、記憶・読出部５９はＣＰＵ５０１からの命令によって実現される。記憶・読出部５９は、記憶部５０００に各種データを記憶する処理、或いは記憶部５０００に記憶された各種データを抽出する処理を行う。
【００３９】
＜＜実施形態の処理または動作＞＞
次に、本実施形態の通信システム１におけるＩＷＢ２０、中継装置３０、管理システム５０の処理または動作を説明する。
【００４０】
管理システム５０は、セッション制御部５８による制御により、ＩＷＢ（２０ａ，２０ｂ，２０ｃ）間で中継装置３０を介してストロークデータを伝送するセッションを確立する。以下、セッション確立後にＩＷＢ２０間でストロークデータを伝送する処理を説明する。図６は、ＩＷＢ２０間でストロークデータを伝送する処理を示すシーケンス図である。
【００４１】
ＩＷＢ２０ａのユーザが入力装置３００のペン先をタッチパネル２２４に接触させると、入力装置３００は接触検知信号を送信する。この接触検知信号を信号受信装置２２５が受信すると、操作入力受付部２２としてのタッチパネル２２４は、接触された位置の座標を検知し、これによりストロークの操作入力を受け付ける（ステップＳ１０１）。
【００４２】
ストロークの操作入力を受け付けた操作入力受付部２２は、入力されたストロークを示すストロークデータ、及び表示面２２２上のストロークの位置を示す位置情報を生成する（ステップＳ１０２）。位置情報は、特に限定されず、例えば、ストロークの始点の座標、終点の座標でもよい。若しくは、ストロークをオブジェクトとして、位置情報はオブジェクトの上端、下端、右端、左端、又は中央点の座標でも良い。
【００４３】
送受信部２１は、ステップＳ１０２において生成されたストロークデータ、位置情報、及び並びに自端末であるＩＷＢ２０ａの通信ＩＤを中継装置３０へ送信する（ステップＳ１０６）。ＩＷＢ２０ａと中継装置３０との間のセッションは確立されているため、中継装置３０側で通信ＩＤを受信せずにストロークデータの送信元を特定できる場合は、ＩＷＢ２０ａは、ステップＳ１０６において通信ＩＤを送信しなくても良い。
【００４４】
なお、一実施形態に係るＩＷＢ２０の送受信部２１は、ステップＳ１０１における操作入力の完了前、即ち、操作入力受付部２２が操作入力を受け付けている間に、生成されるストロークデータを中継装置３０へ随時送信しても良い。この場合、後述の処理により、ユーザが入力を開始した（書き始めた）段階で、表示面２２２に拠点名が表示される。このため、使用感が向上する。
【００４５】
他の一実施形態に係るＩＷＢ２０の送受信部２１は、ステップＳ１０１における操作入力の完了後に、ストロークデータを中継装置３０へ送信しても良い。この場合、完成したストロークに対する位置情報を中継装置３０へ送信できるので、後述の処理により、表示面２２２において、ストロークの表示全体と拠点名の表示との重複を回避できる。これにより、ストロークあるいは拠点名の可読性が向上する。
【００４６】
中継装置３０の記憶・読出部３９は、受信された通信ＩＤ、ストロークデータ、及び位置情報が関連付けられた画像管理テーブルを生成して記憶部３０００に記憶する（ステップＳ１０８）。表２は、中継装置３０において生成された画像管理テーブルを示す概念図である。なお、記憶・読出部３９は、画像管理テーブルのストロークデータのフィールドに、ストロークデータの識別情報（ＩＤ）或いはストロークデータのファイル名を記録し、対応するストロークデータを記憶部３０００の他の記憶領域に記憶しても良い。
【００４７】
【表２】
2016208396.tif 000004
中継装置３０の送受信部３１は、ＩＷＢ２０ａから送られたストロークデータ、位置情報、及び通信ＩＤを送信して、管理システム５０にＩＷＢ２０ａの拠点名を要求する（ステップＳ１１０）。
【００４８】
拠点名の要求を受信した管理システム５０では、記憶・読出部５９が拠点名の要求に含まれる通信ＩＤを検索キーとして端末管理テーブル（表１参照）を検索し、通信ＩＤに対応する拠点名を読み出す（ステップＳ１１２）。
【００４９】
記憶・読出部５９は、拠点名の要求に含まれる通信ＩＤ、ストロークデータ、及び位置情報、およびステップＳ１１２で読み出された拠点名が関連付けられた画像管理テーブルを生成し、該画像管理テーブルを記憶部５０００に記憶する（ステップＳ１１４）。表３は、管理システム５０において生成された画像管理テーブルを示す概念図である。記憶・読出部５９は、画像管理テーブルのストロークデータのフィールドに、ストロークデータの識別情報（ＩＤ）或いはストロークデータのファイル名を記録し、対応するストロークデータを記憶部５０００の他の記憶領域に記憶しても良い。
【００５０】
【表３】
2016208396.tif 000005
管理システム５０の送受信部５１は、拠点名の要求に対する応答として、ＩＷＢ２０ａの通信ＩＤと、ステップＳ１１２において読み出された拠点名を要求元である中継装置３０へ送信する（ステップＳ１１６）。
【００５１】
応答を受信した中継装置３０では、送受信部３１が、ストロークデータを伝送するセッションに参加している各ＩＷＢ（２０ａ，２０ｂ，２０ｃ）へ、ＩＷＢ２０ａから送られたストロークデータ、位置情報、通信ＩＤ、及び応答に含まれる拠点名を送信する（ステップＳ１１８−１，Ｓ１１８−２，Ｓ１１８−３）。
【００５２】
各ＩＷＢ（２０ａ，２０ｂ，２０ｃ）では、表示制御部２３が、中継装置３０から送られたストロークデータ、位置情報、及び拠点名に基づいてディスプレイ２２０に画像を表示する制御を行う（ステップＳ１２０−１，Ｓ１２０−２，Ｓ１２０−３）。この場合、各ＩＷＢにおいて、表示制御部２３は、表示面２２２において位置情報により示される位置にストロークデータに基づくストロークを表示する制御を行う。また、表示制御部２３は、表示面２２２において上記の位置情報に対応する位置に拠点名を表示する制御を行う。位置情報に対応する位置は、例えば、位置情報で示される座標値に任意の値を加算、減算、乗算、又は除算した座標値の位置を含む。これにより、ストロークの近傍に拠点名が表示される。
【００５３】
以上、ＩＷＢ２０ａにおいてストロークの入力が受け付けられる場合の処理を説明した。ＩＷＢ２０ｂにおいてストロークの入力が受け付けられる場合は、上記の説明においてＩＷＢ（２０ａ，２０ｂ，２０ｃ）がそれぞれＩＷＢ（２０ｂ，２０ｃ，２０ａ）に変更されるのみであるので、詳細な説明は省略される。また、ＩＷＢ２０ｃにおいてストロークの入力が受け付けられる場合は、上記の説明においてＩＷＢ（２０ａ，２０ｂ，２０ｃ）がそれぞれＩＷＢ（２０ｃ，２０ａ，２０ｂ）に変更されるのみであるので、詳細な説明は省略される。
【００５４】
上記のステップＳ１０１乃至Ｓ１２０−１、Ｓ１２０−２、Ｓ１２０−３の各処理は、ＩＷＢ（２０ｃ，２０ａ，２０ｂ）においてストロークが入力される度に実行される。この一連の処理により各ＩＷＢ（２０ｃ，２０ａ，２０ｂ）では、ＩＷＢ２０で入力されたストロークに対応付けて拠点名が表示される。図７Ａは、ＩＷＢ２０のディスプレイの表示例を示す図である。
【００５５】
＜実施形態の第１の変形例＞
次に、本実施形態の第１の変形例を説明する。
【００５６】
図８を用いて、本実施形態の第１の変形例と上記実施形態との差異を説明する。図８は、ＩＷＢ２０間でストロークデータを伝送する処理を示すシーケンス図である。第１の変形例において、管理システム５０の記憶部５０００には、表４に示される端末管理テーブルによって端末管理ＤＢ５００２が構築される。表４は、端末管理テーブルを示す概念図である。この端末管理テーブルでは、ＩＷＢ２０を特定する通信ＩＤと、拠点名と、ＩＷＢ２０のユーザのサインを示すサイン情報と、が関連付けられて管理される。サインは特に限定されず、記号、暗号、署名等を含む。サイン情報は特に限定されず、ストロークデータ、テキストデータ、或いは画像データでもよい。
【００５７】
【表４】
2016208396.tif 000006
図７Ｂはディスプレイの表示例を示す概念図である。操作入力受付部２２がストロークの操作入力を受け付けると、表示制御部２３は、表示面２２２の一部にサインの入力を促すポップアップ画面２２２ａを表示する。これにより、操作入力受付部２２はサインの入力を受け付ける（ステップＳ１０３Ａ）。サインが入力されると、操作入力受付部２２は、入力されたサインを示すサイン情報を生成する（ステップＳ１０４Ａ）。
【００５８】
ＩＷＢ２０ａの送受信部２１は、ステップＳ１０２において生成されたストロークデータ、位置情報、並びに、自端末の通信ＩＤに加えて、ステップＳ１０４Ａにおいて生成されたサイン情報を中継装置３０へ送信する（ステップＳ１０６Ａ）。
【００５９】
中継装置３０の送受信部３１は、管理システム５０に拠点名を要求する際に、ＩＷＢ２０ａから送られたストロークデータ、位置情報、通信ＩＤ、並びにサイン情報を管理システム５０へ送信する（ステップＳ１１０Ａ）。
【００６０】
管理システム５０のセッション制御部５８は、端末管理テーブル（表４参照）において拠点名の要求に含まれる通信ＩＤに関連付けられるサイン情報と、拠点名の要求に含まれるサイン情報とが一致するか否かを判断する（ステップＳ１１５Ａ）。この場合、セッション制御部５８は、２つのサイン情報の一致率を算出し、一致率が所定の閾値を超える場合には２つのサインが一致すると判断し、一致率が所定の閾値以下である場合には２つのサインは一致しないと判断しても良い。ステップＳ１１５Ａにおいて２つのサインが一致すると判断された場合、送受信部５１は、ステップＳ１１２において読み出された拠点名を含む応答を中継装置３０へ送信する（ステップＳ１１６）。ステップＳ１１５Ａにおいて２つのサインが一致しないと判断された場合、送受信部５１は、拠点名を含まない応答を中継装置３０へ送信する（ステップＳ１１７Ａ）。
【００６１】
中継装置３０の送受信部３１は、ＩＷＢ（２０ａ，２０ｂ，２０ｃ）へ、ＩＷＢ２０ａから送られたストロークデータ、位置情報、及び通信ＩＤを送信する（ステップＳ１１８Ａ−１，Ｓ１１８Ａ−２，Ｓ１１８Ａ−３）。管理システム５０から送られた応答に拠点名が含まれている場合、中継装置３０の送受信部３１は、上記のストロークデータ、位置情報、及び通信ＩＤとともに応答に含まれる拠点名を送信する。
【００６２】
ＩＷＢ（２０ａ，２０ｂ，２０ｃ）の表示制御部２３は、中継装置３０から送られたストロークデータ及び位置情報に基づいて、ストロークを表示する制御を行う（ステップＳ１２０Ａ−１，Ｓ１２０Ａ−２，Ｓ１２０Ａ−３）。中継装置３０からストロークデータ及び位置情報とともに拠点名が送られた場合、表示制御部２３は、位置情報に対応する位置に拠点名を表示する制御を行う。これにより正当な権限を有するユーザがサインを入力した場合だけ、ストロークに対応付けた拠点名の表示が可能でなる。
【００６３】
＜実施形態の第２の変形例＞
次に、本実施形態の第２の変形例を説明する。
【００６４】
図９を用いて、本実施形態の第２の変形例と上記実施形態との差異を説明する。図９は、ＩＷＢ間でストロークデータを伝送する処理を示すシーケンス図である。
【００６５】
図７Ｃはディスプレイの表示例を示す概念図である。操作入力受付部２２がストロークの操作入力を受け付けると、表示制御部２３は、表示面２２２の一部に上記の第１の変形例におけるサインの一例としての署名の入力を促すポップアップ画面２２２ｂを表示する。これにより、操作入力受付部２２は署名の入力を受け付ける（ステップＳ１０３Ｂ）。署名が入力されると、操作入力受付部２２は、入力された署名を示すサイン情報を生成する（ステップＳ１０４Ｂ）。
【００６６】
ＩＷＢ２０ａの送受信部２１は、ステップＳ１０２において生成されたストロークデータ、位置情報、並びに、自端末の通信ＩＤに加えて、ステップＳ１０４Ｂにおいて生成されたサイン情報を中継装置３０へ送信する（ステップＳ１０６Ｂ）。
【００６７】
中継装置３０の送受信部３１は、管理システム５０に拠点名を要求する際に、ＩＷＢ２０ａから送られたストロークデータ、位置情報、通信ＩＤ、並びにサイン情報を管理システム５０へ送信する（ステップＳ１１０Ｂ）。
【００６８】
管理システム５０のセッション制御部５８は、端末管理テーブルにおいて拠点名の要求に含まれる通信ＩＤに関連付けられるサイン情報と、拠点名の要求に含まれるサイン情報とが一致するか否かを判断する（ステップＳ１１５Ｂ）。ステップＳ１１５Ｂで端末管理テーブルにおいて管理されるサイン情報とＩＷＢ２０ａから中継装置３０を介して送られたサイン情報とが一致すると判断された場合、送受信部５１は、ステップＳ１１２において読み出された拠点名、及びＩＷＢ２０ａから送られたサイン情報を含む応答を中継装置３０へ送信する（ステップＳ１１６Ｂ）。ステップＳ１１５Ｂで２つのサイン情報が一致しないと判断された場合、送受信部５１は、拠点名及びサイン情報を含まない応答を中継装置３０へ送信する（ステップＳ１１７Ｂ）。
【００６９】
中継装置３０の送受信部３１は、ＩＷＢ（２０ａ，２０ｂ，２０ｃ）へ、ＩＷＢ２０ａから送られたストロークデータ、位置情報、及び通信ＩＤを送信する（ステップＳ１１８Ｂ−１，Ｓ１１８Ｂ−２，Ｓ１１８Ｂ−３）。管理システム５０から送られた応答に拠点名及びサイン情報が含まれる場合、中継装置３０の送受信部３１は、上記のストロークデータ、位置情報、及び通信ＩＤとともに応答に含まれる拠点名及びサイン情報を送信する。
【００７０】
ＩＷＢ（２０ａ，２０ｂ，２０ｃ）の表示制御部２３は、中継装置３０から送られたストロークデータ及び位置情報に基づいて、ストロークを表示する制御を行う（ステップＳ１２０Ｂ−１，Ｓ１２０Ｂ−２，Ｓ１２０Ｂ−３）。中継装置３０からストロークデータ及び位置情報とともに拠点名及びサイン情報が送られた場合、表示制御部２３は、位置情報に対応する位置に拠点名及びサイン情報すなわち署名を表示する制御を行う。図７Ｄは第２の変形例におけるディスプレイ２２０の表示例を示す図である。第２の変形例によれば、正当なユーザにより入力された署名の、ストロークに対応付けた表示が可能である。
【００７１】
＜実施形態の第３の変形例＞
次に、本実施形態の第３の変形例を説明する。
【００７２】
図１０及び図１１を用いて、本実施形態の第３の変形例と
上記実施形態との差異を説明する。図１０は、一実施形態に係る管理システム５０の機能ブロック図である。図１１は、ＩＷＢ２０間でストロークデータを伝送する処理を示すシーケンス図である。
【００７３】
管理システム５０の記憶部５０００には、ユーザ管理テーブルによってユーザ管理ＤＢ５０１１が構築される。表５は、ユーザ管理テーブルを示す概念図である。ユーザ管理テーブルでは、ＩＷＢ２０のユーザのユーザＩＤと、ユーザのアドレス情報と、ユーザを特定する情報であって、ＩＷＢ２０側で出力可能なユーザ情報とが関連付けられて管理される。ユーザ情報は、ユーザ名などのテキスト情報、或いは、アイコン、サムネイルなどの画像情報を含む。また、ユーザ管理テーブルには、テキスト情報や画像情報のファイルのファイル名が管理される。そのファイル名によって特定されるファイルは、記憶部５０００のユーザ管理テーブルとは異なる記憶領域に記憶されても良い。ユーザ管理テーブルにおいて管理される情報は、ユーザの操作に基づくＩＷＢ２０からの要求に応じて、管理システム５０の記憶・読出部５９によって更新可能である。
【００７４】
【表５】
2016208396.tif 000007
図７Ｅはディスプレイの表示例を示す概念図である。ＩＷＢ２０ａの操作入力受付部２２がストロークの入力を受け付けると、表示制御部２３は、表示面２２２の一部にアドレスの選択を受け付けるポップアップ画面２２２ｃを表示する。選択肢としてのアドレスは、ＩＷＢ２０ａの複数のユーザの各アドレスであり、記憶部２０００に予め記憶される。これにより、操作入力受付部２２はユーザ自身のアドレスの選択を受け付ける（ステップＳ１０５Ｃ）。
【００７５】
ＩＷＢ２０ａの送受信部２１は、ストロークデータ、位置情報、自端末の通信ＩＤに加えて、ステップＳ１０５Ｃにおいて選択されたアドレスを示すアドレス情報を中継装置３０へ送信する（ステップＳ１０６Ｃ）。
【００７６】
中継装置３０の記憶・読出部３９は、ＩＷＢ２０ａから送られた通信ＩＤ、ストロークデータ、位置情報、及びアドレス情報が関連付けられた画像管理テーブルを生成して記憶部３０００に記憶する（ステップＳ１０８Ｃ）。表６は、ステップＳ１０８Ｃにおいて生成される画像管理テーブルを示す概念図である。
【００７７】
【表６】
2016208396.tif 000008
中継装置３０の送受信部３１は、管理システム５０に拠点名を要求する際に、ＩＷＢ２０ａから送られたストロークデータ、位置情報、通信ＩＤ、及びアドレス情報を管理システム５０へ送信する（ステップＳ１１０Ｃ）。
【００７８】
拠点名の要求を受信した管理システム５０では、記憶・読出部５９が拠点名の要求に含まれるアドレス情報を検索キーとしてユーザ管理テーブル（表５参照）を検索し、検索キーに対応するユーザ情報を読み出す（ステップＳ１１３Ｃ）。
【００７９】
記憶・読出部５９は、拠点名の要求に含まれる通信ＩＤ、ストロークデータ、位置情報、及びアドレス情報、及び各ステップ（Ｓ１１２，Ｓ１１３Ｃ）において読み出された拠点名及びユーザ情報が関連付けられた画像管理テーブルを生成し、該画像管理テーブルを記憶部５０００に記憶する（ステップＳ１１４Ｃ）。表７は、ステップＳ１１４Ｃにおいて生成される画像管理テーブルを示す概念図である。
【００８０】
【表７】
2016208396.tif 000009
管理システム５０の送受信部５１は、拠点名の要求に対する応答として、ＩＷＢ２０ａの通信ＩＤ、並びに各ステップ（Ｓ１１２，Ｓ１１３Ｃ）において読み出された拠点名及びユーザ情報を、要求元の中継装置３０へ送信する（ステップＳ１１６Ｃ）。
【００８１】
応答を受信した中継装置３０では、送受信部３１が、ストロークデータを伝送するセッションに参加している各ＩＷＢ（２０ａ，２０ｂ，２０ｃ）へ、ＩＷＢ２０ａから送られたストロークデータ、位置情報、及び通信ＩＤ、及び応答に含まれる拠点名及びユーザ情報を送信する（ステップＳ１１８Ｃ−１，Ｓ１１８Ｃ−２，Ｓ１１８Ｃ−３）。
【００８２】
ＩＷＢ（２０ａ，２０ｂ，２０ｃ）の表示制御部２３は、中継装置３０から送られたストロークデータ及び位置情報に基づいて、ストロークを表示する制御を行う（ステップＳ１２０Ｂ−１，Ｓ１２０Ｂ−２，Ｓ１２０Ｂ−３）。また、各表示制御部２３は、表示面２２２において位置情報に示される位置に拠点名を表示する制御を行う。更に、各表示制御部２３は、表示面２２２において位置情報に対応する位置にユーザ情報に基づく画像を表示する制御を行う。これにより、ストロークの近傍に拠点名及びユーザ情報に基づく画像が表示される。図７Ｆは、第３の変形例におけるディスプレイの表示例を示す図である。第３の変形例によれば、ストロークに対応付けたテキスト、アイコン、サムネイル等のユーザ情報の表示が可能である。
【００８３】
＜＜実施形態の主な効果＞＞
次に、上記実施形態の主な効果を説明する。ＩＷＢ２０（通信端末の一例）は、通信ネットワーク２を介して一以上の他のＩＷＢ２０と通信可能に接続される。ＩＷＢ２０の送受信部２１（受信手段の一例）は、他のＩＷＢ２０によって送信されるストロークデータを受信する。また、ＩＷＢ２０の送受信部２１（取得手段の一例）は、通信ネットワーク２上の管理システム５０において、ストロークデータの送信元の他のＩＷＢ２０の通信ＩＤに関連付けられて管理される拠点名（名称情報の一例）を取得する。ＩＷＢ２０の表示制御部２３（表示制御手段の一例）は、ストロークデータに基づくストローク（画像の一例）、及び拠点名（名称情報に基づく画像の一例）を対応付けて表示する制御を行う。これにより、ＩＷＢ２０側で通信相手の名称を管理しない場合でも、その通信相手から送られたストロークデータのストロークに対応付けた名称の表示が可能である。
【００８４】
ＩＷＢ２０の操作入力受付部２２（操作入力受付手段の一例）は、ユーザによる操作入力を受け付ける。ＩＷＢ２０の送受信部２１（送信手段の一例）は、上記の操作入力に基づくストロークデータを、中継装置３０を介して他のＩＷＢ２０へ送信する。送受信部２１は、この操作入力が受け付けられている間に、ストロークデータを送信可能である。この場合、ユーザが入力を開始した（書き始めた）段階で、通信相手側の表示面２２２における拠点名の表示が可能である。このため、使用感が向上する。
【００８５】
送受信部２１は、ストロークの操作入力の完了後に、ストローク情報を中継装置３０へ送信しても良い。この場合、完成したストロークを中継装置３０へ送信できるので、後の処理により、表示面２２２において、ストロークの表示全体と拠点名の表示との重複を回避できる。これにより、ストロークあるいは拠点名の可読性が向上する。
【００８６】
管理システム５０の記憶部５０００（管理手段の一例）に構築される端末管理ＤＢ５００２は、ストロークデータの送信元のＩＷＢ２０の通信ＩＤ毎に、拠点名（名称情報の一例）を通信ＩＤに関連付けて管理する。管理システム５０の記憶・読出部５９(抽出手段の一例）は、他のＩＷＢ２０から上記ＩＷＢ２０へストロークデータが送信されると、端末管理ＤＢ５００２において、他のＩＷＢ２０の通信ＩＤに関連付けられる名称情報を読み出す（抽出する）。抽出された拠点名は、管理システム５０の送受信部５１（送信手段の一例）によりＩＷＢ２０へ送信される。これにより、上記ＩＷＢ２０はストロークデータの送信元の拠点名を取得できる。
【００８７】
端末管理ＤＢ５００２は、ストロークデータの送信元のＩＷＢ２０の通信ＩＤ毎に、ユーザのサインを示すサイン情報（第１のサイン情報）を通信ＩＤに関連付けて管理する。他のＩＷＢ２０によってストロークデータとともにサイン情報（第２のサイン情報）が送信されると、セッション制御部５８（判断手段の一例）は、他のＩＷＢ２０によって送信されるサイン情報と、端末管理ＤＢ５００２において他のＩＷＢ２０の通信ＩＤに関連付けられて管理されるサイン情報と、が一致するか否かを判断する。管理システム５０の送受信部５１（送信手段の一例）は、セッション制御部５８によってサイン情報が一致すると判断された場合に、記憶・読出部５９によって読み出された拠点名をＩＷＢ２０へ送信する。これにより、正当な権限を有するユーザがストロークを操作入力した場合に、ＩＷＢ２０における拠点名の表示が可能である。
【００８８】
管理システム５０の記憶部５０００に構築されるユーザ管理ＤＢ５０１１は、ストロークデータの送信元のアドレス情報毎に、ユーザ情報（利用者情報の一例）をアドレス情報に関連付けて管理する。管理システム５０の記憶・読出部５９は、他のＩＷＢ２０によってアドレス情報が送信されると、ユーザ管理ＤＢ５０１１において、他のＩＷＢ２０によって送信されるアドレス情報に関連付けられるユーザ情報を読み出す（抽出する）。送受信部５１は抽出されたユーザ情報をＩＷＢ２０へ送信する。これにより、上記のＩＷＢ２０は、ストロークデータの送信元の拠点名に加えて、他のＩＷＢ２０を利用しているユーザのユーザ情報を取得できる。
【００８９】
＜＜実施形態の補足＞＞
ＩＷＢ２０、及び管理システム５０用の各プログラムは、インストール可能な形式又は実行可能な形式のファイルによって、コンピュータで読み取り可能な記録媒体（記録メディア２０６等）に記録されて流通されてもよい。また、上記記録媒体の他の例は、ＣＤ−Ｒ(Compact Disc Recordable)、ＤＶＤ(Digital Versatile Disk)、ブルーレイディスクを含む。また、上記記録媒体、あるいは、これらのプログラムが記憶されたＨＤ５０４は、プログラム製品(Program Product)として、国内又は国外へ提供可能である。
【００９０】
また、上記実施形態におけるＩＷＢ２０、及び管理システム５０は、単一の装置によって構築されてもよいし、各部（機能又は手段）を分割して任意に割り当てられた複数の装置によって構築されていてもよい。
【００９１】
また、上記では、画像共有装置の一例としてＩＷＢ２０が説明されたが、これに限定されない。例えば、画像共有装置は、電子黒板や、画像共有機能を有するＰＣ(Personal Computer)等でもよい。
【００９２】
更に、上記では、ＩＷＢ２０（下位概念）等の画像共有装置（上位概念）による会議を例として説明したが、これに限定されはない。本発明は、テレビ会議を含めたより広い概念としての通信分野における上記実施形態の応用を含む。例えば、プロジェクターシステム、デジタルサイネージ、テキスト共有システム、カーナビゲーションシステム、ゲーム機用の通信システム等において、複数の通信端末において出力される画像に係るストロークデータを、複数の通信端末間で伝送する場合に、上記実施形態を応用することができる。
【００９３】
本国際特許出願は、２０１５年６月２３日に出願した日本国特許出願第２０１５−１２５４０２号に基づきその優先権を主張するものであり、日本国特許出願第２０１５−１２５４０２号の全内容を参照によりここに援用する。
【符号の説明】
【００９４】
１  通信システム
２  通信ネットワーク
２０  ＩＷＢ
２１  送受信部
２２  操作入力受付部
２３  表示制御部
２９  記憶・読出部
３０  中継装置
３１  送受信部
３９  記憶・読出部
５０  管理システム
５１  送受信部
５８  セッション制御部
５９  記憶・読出部
１０００  記憶部
２０００  記憶部
３０００  記憶部
５０００  記憶部
５００２  端末管理ＤＢ
５０１１  ユーザ管理ＤＢ
【図１】
2016208396.tif 000010
【図２】
2016208396.tif 000011
【図３】
2016208396.tif 000012
【図４】
2016208396.tif 000013
【図５】
2016208396.tif 000014
【図６】
2016208396.tif 000015
【図７Ａ】
2016208396.tif 000016
【図７Ｂ】
2016208396.tif 000017
【図７Ｃ】
2016208396.tif 000018
【図７Ｄ】
2016208396.tif 000019
【図７Ｅ】
2016208396.tif 000020
【図７Ｆ】
2016208396.tif 000021
【図８】
2016208396.tif 000022
【図９】
2016208396.tif 000023
【図１０】
2016208396.tif 000024
【図１１】
2016208396.tif 000025
【国際調査報告】
2016208396.tif 000026
2016208396.tif 000027